(57)【要約】      （修正有）【課題】単一の光源ユニットを複数個組み合わせて、目的に合った照明を構成する、容易に組立出来る照明システムを提供する。【解決手段】ＬＥＤ１を基板２に線状に配置し、発光面が一方向になるような棒形状構造の単一な光源ユニットとする。この光源を複数個同時に点灯することが出来る電源とコネクタを備えた電線を備える。この棒形状光源の両端に円柱形状の部分３を備え、この部分で棒形状光源の保持と正確な回転が出来るように工夫がされた機構を準備することで、当該棒形状の光源ユニットを何処でも容易に取り付けられ、発光面を自由に回転することで、目的とする場所を容易に照らし出すことが出来る。同時に電源には蓄電池が採用されているので、何処でも移動して点灯することが出来る。【選択図】図１
2015076393.tif 000002
【特許請求の範囲】
【請求項１】
光源としてＬＥＤ素子を採用した主に、工事用照明器具に於いて、発光部ＬＥＤはおおむね線上に、長さおよそ３００ｍｍから６００ｍｍ、幅は２０ｍｍ程度の基板に配置され、光源基板はチャンネル形状のアルミ押し出し材あるいはＬ字アングル材に樹脂材で固定され、発光平面が一方向に形成される単一の棒形状の光源ユニットを複数個で形成されることを特徴とする、複数の工事用照明器具システム。
【請求項２】
請求項１に於いて、棒形状の光源ユニットは両端にコネクタ部を備え、両端部近傍に円柱形状を形成して、光源を保持する機構と合わせて、棒形状光源の固定と同時に、発光面の回転方向を正確に調整するために、回転方向に適切な目盛を備えることを特徴とした工事用及び屋外用途の照明器具。
【請求項３】
請求項２の棒形状の光源ユニットは、コネクタを備え適切な電線でおよそ１０本から１５本程度直列に接続でき、一つの蓄電池電源あるいは直流電源で同時に点灯することが出来、そして光源ユニットは屋外で使用の為、防水と防塵されていることを特徴とする。
【請求項４】
請求項３の棒形状の光源ユニットは、両端の円筒部で保持あるいは固定される機構を備えることで、保持機構の全体の構造を変えることで、棒形状の光源ユニットの配置及び本数を容易に変化させることが出来ることを特徴とする。これにより棒形状の光源を垂直方向あるいは水平方向に配置することが出来、本数も自由に変えられる。同時に発光面を回転させることで目的とする照明範囲に正確に向けることが出来ることを特徴とする、工事用及び屋外用途の照明器具。
【請求項５】
請求項４の棒形状光源は、単純な保持機構と組み合わせて、垂直に配置したり水平に配置したり、空間に自由に光源を設置出来る特徴を有することで、広い範囲の照明、狭い範囲の照明、あるいは歩行者道路向けの照明、工事車両に搭載用の照明等、工事現場で多目的な光源として各種照明として利用できることを特徴とする。
【請求項６】
請求項５の棒形状の光源ユニットを保持する構造は、棒形状の光源ユニットをいろいろな目的の照明として配置するため、幾つかの形状が考案される。広い範囲あるいは狭い範囲を照らす照明として、４から十数本程度光源ユニットを縦に配置する構造、光源を車輛に搭載するためには磁石で容易に脱着出来る機構を備えた構造、歩行者道路照明用では、工事用三角コーンに容易に装着出来る機構等を備えた特徴を持っている。
【発明の詳細な説明】
【発明の詳細な説明】
【技術分野】
【０００１】  本発明は、工事現場における仮設照明システムに係わる。従来はそれぞれ目的別に専用の照明器具が何種類か用いられている。幾つかの種類の照明を扱うので、その管理も煩雑で有った。本発明は、単一の棒形状の光源ユニットを複数個組み合わせることで、いろいろな用途の照明機器を工事現場で製作出来る工事用照明システムに関わる。
【背景技術】
【０００２】  工事現場では、当面の工事の為に必要な仮設照明機器が設置されるのが一般的である。そして工事現場の状況は多様でその為にいろいろな照明機器が必要になる。例えば、３６０度全方位の広い範囲を照らすには、バルーン型投光器が適している。狭い工事範囲ではビーム型の投光器、長い通路の照明には比較的長い距離に配置された線状の照明、工事車両に搭載する照明としては脱着可能な線状光源等が適している。【０００３】  このように工事現場で使われる照明は、従来はその目的に合った光源を使って専用の照明機器がそれぞれの現場で使われて来た。その為に、色々な形態の光源が現場に存在することで照明機器の管理が煩雑になった。
【先行技術】
【０００４】  特許文献１には、３６０度全方位の広い範囲を照らすバルーン型投光器が開示されている。超高圧水銀灯を光源として、薄い可撓性の材料からなる膨張可能な外被を備えた照明バルーンに関している。
【０００５】  特許文献２には、トンネル工事、上下水道工事、橋梁工事などの現場等の様に、線状に長い空間において、ＬＥＤの線状の光源を所定の間隔に配置する、通路照明についての開示がある。近年に実用化した高効率のＬＥＤの棒形状を採用して小型軽量で、容易に持ち運び出来ることを特徴としている。
【０００６】  特許文献３には、仮設照明をデッキプレートに取り付けるには蛍光灯を磁石で、またその配線を磁石クリップで取り付けることが開示されている。
【特許文献１】特開平１０−１８８６２２号公報
【特許文献２】特願２０１２−１７７８９８
【特許文献３】特開平０６−２０５１１号公報
【背景技術】
【０００７】  従来の工事用照明機器は、それぞれの歴史で発達してきた光源を使って、現場の目的に合った照明機器を作りそれを使用してきた。これにより工事現場には、何種類かの技術が違った光源を使った照明機器が存在することになり、その保守管理が大きな負担となっていた。
【発明が解決しようとする課題】
【０００８】  本発明により、工事現場にあるいろいろな種類の照明機器を、小型で軽量な単一の光源ユニットを使い、それを複数個組み合わして構成して、色々な目的の照明を実現する。これにより、種類の異なった照明機器を保守管理することが無く照明機器の種類としては、３６０度の全方位を照らす広い範囲の照明機器、狭い工事領域を照らす投光器型の照明機器、細長い範囲を照らす通路照明機器、三角コーンの列に取り付ける境界線を明示する照明機器さらに工事用車両にも取り付けられる照明機器等を実現する。
【０００９】  一つの光源ユニットから組み合わされたいろいろの目的の照明機器を、それぞれの目的に合った形で使うことで、工事現場での照明機器の維持管理が従来の機器より簡単になる。そして、光源にＬＥＤを採用することで照明機器を小型軽量化出来それらの可搬性が増す。
【課題を解決するための手段】
一つの光源ユニットを組み合わせて、色々な目的の小型で軽量な照明機器を作るには、光源ユニットとそれを保持する機構に必要な機能を持たせなければならない。
【００１０】  例えば、棒形状の光源ユニットを採用する場合は、小型で軽量なＬＥＤ素子を光源に採用して線上に配置して、発光は一方向に指向性を持たせて、両端には他の光源ユニットと接続の為のコネクタを備え、同時に確実な固定を実現するために保持と回転位置を調整するために円筒部を備えることが必要である。円筒部には回転位置を明確にする目盛が必要となる。  この円筒部分は、製作上の都合で５角形以上の多角形形状になる場合も考えられる。
【００１１】  各種目的とする照明機器の明るさは、光源ユニットの本数と配置と回転位置によって適合させる。その為に一つの光源ユニットの光速をおよそ１０００ルーメンにして、１０本同時に１０時間連続点灯できる蓄電池光源を準備することで、最大１００００ルーメン出力出来る照明システムが実現可能になる。同時に、その為に配線容量も考慮が必要になる。
【００１２】  棒形状の光源ユニットは、垂直方向にも水平方向にも配置可能で、保持機能と組み合わせて全体の照明機器の構造を決める。その為光源ユニットが照明機器の構造材として使えるように相当の機械的強度を持たせる必要がある。本発明の光源ユニットは曲げ強度して、経験的に９００ｋｇ・ｃｍ以上が望ましい。
【００１３】  棒形状の光源ユニットを例えば２本から１５本程度の複数本を一つの照明システムとして保持する機構として、その照明の用途によって幾つかの形態が考えられる。工事現場で目的とする照明を容易に組み上げることが出来るように、光源ユニットと保持機構は、着脱が容易に出来なければならないが脱着の引っ張り強度としては経験的におよそ１５ｋｇ以上必要になる。
【００１４】  棒形状の光源ユニットは屋外の工事現場で使用できるように、防水と防塵に対しての環境特性は一定の基準以上に達しなければならない。例えばＩＰ５４以上の防塵防水特性が望まれる。
【００１５】  保持機構は出来るだけ、小型軽量化しなければならないので、単純な構造が望まれる。工事車両に搭載するために容易に取り外しが出来るように、磁力等で固定する保持方式が望まれる。
【発明の効果】
【００１６】  単一の光源ユニットの組み合わせで、色々の目的の工事用照明機器を、工事現場で組み立てするので、多様な工事現場、特に工事の進捗によって常に変化するに照明機器への要求に対して、何時も最適な照明機器を供給することが出来、同時に単一の光源ユニットの採用で、それ等の照明機器の保守管理が簡単になる。また、高効率のＬＥＤ光源ユニットの採用で、従来のものより小型で軽量な照明機器が実現でき、同時に可搬性が増す。
【発明を実施するための形態】
【００１７】  図１にＬＥＤ素子（１）が基板（２）に線上に配置された光源ユニットを示す。
光源ユニットの発光面は、一方向に固定されるように、ＬＥＤ基板は裏面をアルミ材のチャンネルあるいはＬ字アングルで目標の機械強度になるように、接着樹脂等で補強されている。長さはおよそ３００ｍｍから６００ｍｍで、両端に防水と防塵特性のコネクタ（４）を備え、コネクタは電源供給用の配線に繋がり、次の光源ユニットへ電源を供給する構造になっている。配線は、ＬＥＤ基板とアルミの構造材の間に配置されている。そして光源ユニットを保持するために円筒部（３）を備える。円筒部（３）の両端部の外径は、真中部分より大きく壁が出来ていて、保持の治具が軸方向の動きでも容易に抜けないようになっている。さらに円筒部の両端には、回転方向の位置決めの為の目盛が見易く、刻印あるいは記入されている。この光源ユニットの重量はおよそ２５０ｇ以下になるように軽量化設計になっている。
【００１８】  図１のＬＥＤ基板（２）にはおよそ６０個程度のＬＥＤ素子が線上に配置されていて、消費電力はおよそ８ワット・時になり、全光束出力はおよそ１０００ルーメン以上の光源ユニットになる。電源電圧は汎用蓄電池出力を想定して２４Ｖあるいは１２Ｖに対応する。なお、光源ユニットが定電流動作であれば効率が良く、また電源電圧の規定が厳密でなくともよくなる。
【００１９】  例として、図１の光源ユニット１０本を同時に点灯出来る蓄電池電源と１０本を結線出来る配線ケーブル備えたシステムとすることで、色々な用途の照明機器を組み立てることが出来る。この時、蓄電池の容量はこのシステムが標準的な作業をカバーする１０時間連続に動作出来るように設計されている。また、配線に使われる電源線は、電圧降下を抑制するために、２ｍｍ平方以上の導体断面積を持つ電線が望ましいい。
【００２０】  図２には光源ユニットを保持機構の例を示す。機構は二又部に弾力を持ち、光源ユニットの円筒形の保持部を挟む形で保持する。光源ユニットを回転させて、それぞれにある目盛（７）合わせることで、光源ユニットの発光面が所定の方向に向くように設計されている。この保持機構は金属あるいはプラスチックで作られ、適当な他の部品に固定できるように取り付け穴を設けられている。特に軽量化設計をする場合はプラスチックが望まれる。光源ユニットの保持部の形状が多角形の場合は、図の受け部分もそれに合った多角形になる。他にも保持機構はいろいろ考案される。例えばネジを使って保持力を備えた機構も容易に考えられる。
【００２１】  図３に光源ユニット同士を結ぶ、あるいは光源ユニット群に電力を供給する電線示す。両端に目的とした防塵と防水特性のコネクタ（１０）を備え光源ユニットを簡単に結線できる機能を備えている。電線の長さは、０．５Ｍ、５Ｍと１０Ｍ等何種類か準備して、形成する照明機器システムに合うものを使う。電線は耐久性のあるキャプタイヤ―コードが望まれる。
【００２２】  図１の光源ユニット、図２の保持機構、図３の結線と照明機器を形作る構造体を準備することで、工事現場に適した照明機器を組み立てることが出来る。当該照明機器は、複数の単一光源ユニットと照明用構造体を組み合わせて形成される。
【照明システムの実施例】
【００２３】  図４に広い範囲の工事現場を照らす、従来のバルーン型照明に相当する照明機器の一例を示す。６本の光源ユニットからなる照明で、発光面が全て外側に向いて、３６０度全方向を照らす照明機器が出来る。全光束は６０００ルーメンになり、従来の小型バルーン型投光器と同等な出力になる。一方この光源部の重量はおよそ２．５Ｋｇ程度の重量になり、従来のバルーン投光器の光源の重量が６Ｋｇ程度あるので、当該のシステムでは半分以下の重量になる。
【００２４】  図４でさらに明るい投光器が必要の場合は、光源ユニットをさらに増やす様な保持構造を考えることで容易に実現できる。光源ユニットを１０本とすることで、全光束は１００００ルーメン以上にすることが出来る。
【００２５】  図５には、６本の光源ユニットからなる照明で、発光面を一方向に向けることで従来のビーム型の投光器の様に狭い範囲を照らすことが目的の照明機器となり、配光調整が可能である。
【００２６】図６に示す６本の光源からなる広い範囲を照明する光源を、三脚に据えた例である。使用する目的に合わせ、より堅牢でより高い三脚を使うことも可能である。図６の照明機器は光源ユニット（１７）、配線の電線（１８）、三脚（１９）と蓄電池電源（２０）の４点から構成されている。このような照明システムは工事用以外にも屋外照明システムとしても用途がある。
【００２７】  図７には、本発明の光源ユニットと同時工事用の三角コーン（２４）と組み合わせて、線状の通路の照明に応用した例を示す。蓄電池電源（２５）から配線して光源ユニット（２１）を発光させる。各光源ユニットは配線の電線（２２）で電気的に結ばれ、工夫された保持機構で三角コーンの渡し棒（２３）上に取り付けられている。三角コーンの間隔等は、現場の状況で変化することもあるが、光源ユニット（２１）の数とそれを結ぶ電線の長さを変えることで、現場に適した照明にすることが出来る。電線の長さは、状況によって長めの電線を使う場合は、少し巻き線にしてあるいはたるむ状態で使用すればよい。
【００２８】本発明の棒形状光源ユニットのシステムを使って、広い範囲の工事用照明器、狭い範囲を照らす工事用照明器や歩行者用の照明器など工事の目的に適した各種の照明器製作する具体例を記した。他の応用例としては、工事用車両に搭載して、車両周辺の暗部明るくする、車両用照明器やマンホールなど狭い場所の照明機器などに使う事ができる。
【図１】
2015076393.tif 000003
【図２】
2015076393.tif 000004
【図３】
2015076393.tif 000005
【図４】
2015076393.tif 000006
【図５】
2015076393.tif 000007
【図６】
2015076393.tif 000008
【図７】
2015076393.tif 000009
【手続補正書】
【提出日】平成26年1月9日(2014.1.9)
【手続補正２】
【補正対象書類名】明細書
【補正対象項目名】全文
【補正方法】変更
【補正の内容】
【発明の詳細な説明】
【発明の詳細な説明】
【技術分野】
【０００１】  本発明は、工事現場における仮設照明システムに係わる。従来はそれぞれ目的別に専用の照明器具が何種類か用いられている。幾つかの種類の照明を扱うので、その管理も煩雑で有った。本発明は、単一の棒形状の光源ユニットを複数個組み合わせることで、いろいろな用途の照明機器を工事現場で製作出来る工事用照明システムに関わる。
【背景技術】
【０００２】  工事現場では、当面の工事の為に必要な仮設照明機器が設置されるのが一般的である。そして工事現場の状況は多様でその為にいろいろな照明機器が必要になる。例えば、３６０度全方位の広い範囲を照らすには、バルーン型投光器が適している。狭い工事範囲ではビーム型の投光器、長い通路の照明には比較的長い距離に配置された線状の照明、工事車両に搭載する照明としては脱着可能な線状光源等が適している。【０００３】  このように工事現場で使われる照明は、従来はその目的に合った光源を使って専用の照明機器がそれぞれの現場で使われて来た。その為に、色々な形態の光源が現場に存在することで照明機器の管理が煩雑になった。
【先行技術】
【０００４】  特許文献１には、３６０度全方位の広い範囲を照らすバルーン型投光器が開示されている。超高圧水銀灯を光源として、薄い可撓性の材料からなる膨張可能な外被を備えた照明バルーンに関している。
【０００５】  特許文献２には、トンネル工事、上下水道工事、橋梁工事などの現場等の様に、線状に長い空間において、ＬＥＤの線状の光源を所定の間隔に配置する、通路照明についての開示がある。近年に実用化した高効率のＬＥＤの棒形状を採用して小型軽量で、容易に持ち運び出来ることを特徴としている。
【０００６】  特許文献３には、仮設照明をデッキプレートに取り付けるには蛍光灯を磁石で、またその配線を磁石クリップで取り付けることが開示されている。
【特許文献１】特開平１０−１８８６２２号公報
【特許文献２】特願２０１２−１７７８９８
【特許文献３】特開平０６−２０５１１号公報
【背景技術】
【０００７】  従来の工事用照明機器は、それぞれの歴史で発達してきた光源を使って、現場の目的に合った照明機器を作りそれを使用してきた。これにより工事現場には、何種類かの技術が違った光源を使った照明機器が存在することになり、その保守管理が大きな負担となっていた。
【発明が解決しようとする課題】
【０００８】  本発明により、工事現場にあるいろいろな種類の照明機器を、小型で軽量な単一の光源ユニットを使い、それを複数個組み合わして構成して、色々な目的の照明を実現する。これにより、種類の異なった照明機器を保守管理することが無く照明機器の種類としては、３６０度の全方位を照らす広い範囲の照明機器、狭い工事領域を照らす投光器型の照明機器、細長い範囲を照らす通路照明機器、三角コーンの列に取り付ける境界線を明示する照明機器さらに工事用車両にも取り付けられる照明機器等を実現する。
【０００９】  一つの光源ユニットから組み合わされたいろいろの目的の照明機器を、それぞれの目的に合った形で使うことで、工事現場での照明機器の維持管理が従来の機器より簡単になる。そして、光源にＬＥＤを採用することで照明機器を小型軽量化出来、それらの可搬性が増す。
【課題を解決するための手段】
一つの光源ユニットを組み合わせて、色々な目的の小型で軽量な照明機器を作るには、光源ユニットとそれを保持する機構に必要な機能を持たせなければならない。
【００１０】  例えば、棒形状の光源ユニットを採用する場合は、小型で軽量なＬＥＤ素子を光源に採用して線上に配置して、発光は一方向に指向性を持たせて、両端には他の光源ユニットと接続の為のコネクタを備え、同時に確実な固定を実現するために保持と回転位置を調整するために円筒部を備えることが必要である。円筒部には回転位置を明確にする目盛が必要となる。  この円筒部分は、製作上の都合で５角形以上の多角形形状になる場合も考えられる。
【００１１】  各種目的とする照明機器の明るさは、光源ユニットの本数と配置と回転位置によって適合させる。その為に一つの光源ユニットの光速をおよそ１０００ルーメンにして、１０本同時に１０時間連続点灯できる蓄電池光源を準備することで、最大１００００ルーメン出力出来る照明システムが実現可能になる。同時に、その為に配線容量も考慮が必要になる。
【００１２】  棒形状の光源ユニットは、垂直方向にも水平方向にも配置可能で、保持機能と組み合わせて全体の照明機器の構造を決める。その為光源ユニットが照明機器の構造材として使えるように相当の機械的強度を持たせる必要がある。本発明の光源ユニットは曲げ強度して、経験的に９００ｋｇ・ｃｍ以上が望ましい。
【００１３】  棒形状の光源ユニットを例えば２本から１５本程度の複数本を一つの照明システムとして保持する機構として、その照明の用途によって幾つかの形態が考えられる。工事現場で目的とする照明を容易に組み上げることが出来るように、光源ユニットと保持機構は、着脱が容易に出来なければならないが脱着の引っ張り強度としては、経験的におよそ１５ｋｇ以上必要になる。
【００１４】  棒形状の光源ユニットは屋外の工事現場で使用できるように、防水と防塵に対しての環境特性は一定の基準以上に達しなければならない。例えばＩＰ５４以上の防塵防水特性が望まれる。
【００１５】  保持機構は出来るだけ、小型軽量化しなければならないので、単純な構造が望まれる。工事車両に搭載するために容易に取り外しが出来るように、磁力等で固定する保持方式が望まれる。
【発明の効果】
【００１６】  単一の光源ユニットの組み合わせで、色々の目的の工事用照明機器を、工事現場で組み立てするので、多様な工事現場、特に工事の進捗によって常に変化するに照明機器への要求に対して、何時も最適な照明機器を供給することが出来、同時に単一の光源ユニットの採用で、それ等の照明機器の保守管理が簡単になる。また、高効率のＬＥＤ光源ユニットの採用で、従来のものより小型で軽量な照明機器が実現でき、同時に可搬性が増す。
【発明を実施するための形態】
【００１７】  図１にＬＥＤ素子（１）が基板（２）に線上に配置された光源ユニットを示す。光源ユニットの発光面は、一方向に固定されるように、ＬＥＤ基板は裏面をアルミ材のチャンネルあるいはＬ字アングルで目標の機械強度になるように、接着樹脂等で補強されている。長さはおよそ３００ｍｍから６００ｍｍで、両端に防水と防塵特性のコネクタ（４）を備え、コネクタは電源供給用の配線に繋がり、次の光源ユニットへ電源を供給する構造になっている。配線は、ＬＥＤ基板とアルミの構造材の間に配置されている。そして光源ユニットを保持するために円筒部（３）を備える。円筒部（３）の両端部の外径は、真中部分より大きく壁が出来ていて、保持の治具が軸方向の動きでも容易に抜けないようになっている。さらに円筒部の両端には、回転方向の位置決めの為の目盛が見易く、刻印あるいは記入されている。この光源ユニットの重量はおよそ２５０ｇ以下になるように軽量化設計になっている。
【００１８】  図１のＬＥＤ基板（２）にはおよそ６０個程度のＬＥＤ素子が線上に配置されていて、消費電力はおよそ８ワット・時になり、全光束出力はおよそ１０００ルーメン以上の光源ユニットになる。電源電圧は汎用蓄電池出力を想定して２４Ｖあるいは１２Ｖに対応する。なお、光源ユニットが定電流動作であれば効率が良く、また電源電圧の規定が厳密でなくともよくなる。
【００１９】  例として、図１の光源ユニット１０本を同時に点灯出来る蓄電池電源と１０本を結線出来る配線ケーブル備えたシステムとすることで、色々な用途の照明機器を組み立てることが出来る。この時、蓄電池の容量はこのシステムが標準的な作業をカバーする１０時間連続に動作出来るように設計されている。また、配線に使われる電源線は、電圧降下を抑制するために、２ｍｍ平方以上の導体断面積を持つ電線が望ましいい。
【００２０】  図２には光源ユニットを保持機構の例を示す。機構は二又部に弾力を持ち、光源ユニットの円筒形の保持部を挟む形で保持する。光源ユニットを回転させて、それぞれにある目盛（７）合わせることで、光源ユニットの発光面が所定の方向に向くように設計されている。この保持機構は金属あるいはプラスチックで作られ、適当な他の部品に固定できるように取り付け穴を設けられている。特に軽量化設計をする場合はプラスチックが望まれる。光源ユニットの保持部の形状が多角形の場合は、図の受け部分もそれに合った多角形になる。他にも保持機構はいろいろ考案される。例えばネジを使って保持力を備えた機構も容易に考えられる。
【００２１】  図３に光源ユニット同士を結ぶ、あるいは光源ユニット群に電力を供給する電線示す。両端に目的とした防塵と防水特性のコネクタ（１０）を備え光源ユニットを簡単に結線できる機能を備えている。電線の長さは、０．５Ｍ、５Ｍと１０Ｍ等何種類か準備して、形成する照明機器システムに合うものを使う。電線は耐久性のあるキャプタイヤ―コードが望まれる。
【００２２】  図１の光源ユニット、図２の保持機構、図３の結線と照明機器を形作る構造体を準備することで、工事現場に適した照明機器を組み立てることが出来る。当該照明機器は、複数の単一光源ユニットと照明用構造体を組み合わせて形成される。
【照明システムの実施例】
【００２３】  図４に広い範囲の工事現場を照らす、従来のバルーン型照明に相当する照明機器の一例を示す。６本の光源ユニットからなる照明で、発光面が全て外側に向いて、３６０度全方向を照らす照明機器が出来る。全光束は６０００ルーメンになり、従来の小型バルーン型投光器と同等な出力になる。一方この光源部の重量はおよそ２．５Ｋｇ程度の重量になり、従来のバルーン投光器の光源の重量が６Ｋｇ程度あるので、当該のシステムでは半分以下の重量になる。
【００２４】  図４でさらに明るい投光器が必要の場合は、光源ユニットをさらに増やす様な保持構造を考えることで容易に実現できる。光源ユニットを１０本とすることで、全光束は１００００ルーメン以上にすることが出来る。
【００２５】  図５には、６本の光源ユニットからなる照明で、発光面を一方向に向けることで
従来のビーム型の投光器の様に狭い範囲を照らすことが目的の照明機器となり、配光調整が可能である。
【００２６】図６に示す６本の光源からなる広い範囲を照明する光源を、三脚に据えた例である。使用する目的に合わせ、より堅牢でより高い三脚を使うことも可能である。図６の照明機器は光源ユニット（１７）、配線の電線（１８）、三脚（１９）と蓄電池電源（２０）の４点から構成されている。このような照明システムは工事用以外にも屋外照明システムとしても用途がある。
【００２７】  図７には、本発明の光源ユニットと同時工事用の三角コーン（２４）と組み合わせて、線状の通路の照明に応用した例を示す。蓄電池電源（２５）から配線して光源ユニット（２１）を発光させる。各光源ユニットは配線の電線（２２）で電気的に結ばれ、工夫された保持機構で三角コーンの渡し棒（２３）上に取り付けられている。三角コーンの間隔等は、現場の状況で変化することもあるが、光源ユニット（２１）の数とそれを結ぶ電線の長さを変えることで、現場に適した照明にすることが出来る。電線の長さは、状況によって長めの電線を使う場合は、少し巻き線にしてあるいはたるむ状態で使用すればよい。
【００２８】本発明の棒形状光源ユニットのシステムを使って、広い範囲の工事用照明器、狭い範囲を照らす工事用照明器や歩行者用の照明器など工事の目的に適した各種の照明器製作する具体例を記した。他の応用例としては、工事用車両に搭載して、車両周辺の暗部明るくする、車両用照明器やマンホールなど狭い場所の照明機器などに使う事ができる。
【図面の簡単な説明】
【図１】単一の光源ユニットの構造を示す鳥瞰図である。
【図２】本発明棒形状の光源ユニットの保持機構の例の鳥瞰図である。
【図３】光源ユニットを結ぶ電線を示す鳥瞰図である。
【図４】広い範囲の工事現場を照らす、従来のバルーン型に相当照明機器の例を示す鳥瞰図である。
【図５】ＬＥＤ面が一方向に向いた狭い範囲を照らすビーム型投光器の照明の例の鳥瞰図である。
【図６】図４の全方向を照らす照明機器を三脚に設置した例の鳥瞰図である。
【図７】線状の通路用途の照明に応用した例の概念図である。
【符号の説明】１  ＬＥＤ素子、２  ＬＥＤ基板、３両端に壁のある円筒保持部、
４  コネクタ部、５  角度調整の為の目盛、６  保持機構の例、
７  回転方向の位置目盛、８  取り付け穴、９  ユニットを結ぶ電線、
１０  コネクタ、１１  光源ユニット、１２  配線の電線、１３  保持機構、
１４  光源ユニット、１５  保持機構、１６  配線の電線、
１７  光源ユニット、１８  配線の電線、１９  三脚、２０  蓄電池電源、
２１  光源ユニット、２２  配線の電線、２３  渡し棒、
２４  三角コーン、２５  蓄電池電源